(57)【特許請求の範囲】
【請求項１】
ケーブルに固着されている圧着端子を、平板状のコンタクトと該コンタクトに固着されこのコンタクトの内面と所要の間隙を保持して配設されたインナーコンタクトの接触片とで挟持して、電気的接続がなされる電気コンタクトにおいて、前記接触片は、前記コンタクトの内面と平行な天井板が有り該天井板の先端部を基部にして折り返して形成されており、該接触片の先端部が前記天井板の基部に近接しており、前記圧着端子がコンタクトの内面と接触片との間に挿入された際に、迫り上げられる前記接触片の先端部が、天井板の基部側の天井面に当接しないように、前記天井板に前記接触片のヘタリを防ぎつつ一定の入力を維持するための切欠き溝が設けられ、
インナーコンタクトの接触片は、圧着端子の挿入方向に沿って中央部分が空間域となっていて左右両側に右接触片および左接触片が形成され、且つ、圧着端子が挿入された際に内側接触片から接触するように前記左・右接触片に前記挿入方向に沿って分割用のスリットが設けられていること、
を特徴とする電気コンタクト。
【請求項２】
左・右接触片の先端部は、挿入方向に直交する方向に設けた架橋部により繋がっていること、
を特徴とする請求項１に記載の電気コンタクト。
【請求項３】
コンタクトと、インナーコンタクトの天井板及び接触片とを、外側から包むように囲繞するとともに、前記天井板の切欠き溝の部分を避けて形成されてなるコンタクトハウジングが設けられること、
を特徴とする請求項１又は２に記載の電気コンタクト。
【請求項４】
コンタクトハウジングにおけるコンタクトの外面を囲繞する底板には、丸形の圧着端子の丸孔に落ち込んで該圧着端子の抜去防止となるロック部を有する弾性係合片が形成されていること、
を特徴とする請求項３に記載の電気コンタクト。
【請求項５】
ケーブルに固着されている圧着端子を、平板状のコンタクトと該コンタクトに固着されこのコンタクトの内面と所要の間隙を保持して配設されたインナーコンタクトの接触片とで挟持して、電気的接続がなされる電気コンタクトにおいて、前記接触片は、前記コンタクトの内面と平行な天井板が有り該天井板の先端部を基部にして折り返して形成されており、該接触片の先端部が前記天井板の基部に近接しており、前記圧着端子がコンタクトの内面と接触片との間に挿入された際に、迫り上げられる前記接触片の先端部が、天井板の基部側の天井面に当接しないように、前記天井板に前記接触片のヘタリを防ぎつつ一定の入力を維持するための切欠き溝が設けられ、
コンタクトと、インナーコンタクトの天井板及び接触片とを、外側から包むように囲繞するとともに、前記天井板の切欠き溝の部分を避けて形成されてなるコンタクトハウジングが設けられ、
コンタクトハウジングにおけるコンタクトの外面を囲繞する底板には、丸形の圧着端子の丸孔に落ち込んで該圧着端子の抜去防止となるロック部を有する弾性係合片が形成されていること、
を特徴とする電気コンタクト。
【請求項６】
コンタクトの挿入方向における中央部にロック解除用の開口部が形成され、コンタクトハウジングの弾性係合片の先端部がコンタクトハウジングに装着された状態で前記開口部の位置に配設されるように形成され、前記開口部から解除手段を差し込んで前記弾性係合片の先端部を押し下げることで、ロック部による圧着端子抜去防止作用が解除されること、
を特徴とする請求項４又は５に記載の電気コンタクト。
【請求項７】
コンタクトの内面に、圧着端子の端子部を接触片と協働して挟持するように押し上げる突起部を設けたこと、
を特徴とする請求項１乃至６のいずれか１項に記載の電気コンタクト。
【発明の詳細な説明】
【技術分野】
【０００１】
本発明は、電気コンタクトに係り、更に詳しくは、圧着端子の接続を確実にした電気コンタクトに関するものである。
【背景技術】
【０００２】
従来、電気コンタクトは、図１０に示すように、ケーブル２３の一端に取り付けられた圧着端子２１と図示しないプリント基板とを接続する方法として、端子台２０にネジ２２で止めるものが知られている（特許文献１参照）。
【先行技術文献】
【特許文献】
【０００３】
【特許文献１】特開２００１−１５１８９号公報
【発明の概要】
【発明が解決しようとする課題】
【０００４】
しかし、従来の電気コンタクトにおいては、前記圧着端子２１を接続する際に、ネジ締め工数やトルク管理などがあり、工具を使用した作業であっても作業者の熟練度により作業のムラがある。また、ネジの締め付け後の緩みなどにより、電気的接続が不安定になることが課題である。本発明に係る電気コンタクトは、このような課題を解決するために提案されたものである。
【課題を解決するための手段】
【０００５】
本発明に係る電気コンタクトの上記課題を解決して目的を達成するための要旨は、ケーブルに固着されている圧着端子を、平板状のコンタクトと該コンタクトに固着されこのコンタクトの内面と所要の間隙を保持して配設されたインナーコンタクトの接触片とで挟持して、電気的接続がなされる電気コンタクトにおいて、前記接触片は、前記コンタクトの内面と平行な天井板が有り該天井板の先端部を基部にして折り返して形成されており、該接触片の先端部が前記天井板の基部に近接しており、前記圧着端子がコンタクトの内面と接触片との間に挿入された際に、迫り上げられる前記接触片の先端部が、天井板の基部側の天井面に当接しないように、前記天井板に前記接触片のヘタリを防ぎつつ一定の挿入力を維持するための切欠き溝が設けられていることである。
【０００６】
前記インナーコンタクトの接触片は、圧着端子の挿入方向に沿って中央部分が空間域となっていて左右両側に右接触片および左接触片が形成され、且つ、圧着端子が挿入された際に内側接触片から接触するように前記左・右接触片に前記挿入方向に沿って分割用のスリットが設けられていることである。
【０００７】
前記左・右接触片の先端部は、挿入方向に直交する方向に設けた架橋部により繋がっていることである。
【０００８】
前記コンタクトと、インナーコンタクトの天井板及び接触片とを、外側から包むように囲繞するとともに、前記天井板の切欠き溝の部分を避けて形成されてなるコンタクトハウジングが設けられることである。
【０００９】
前記コンタクトハウジングにおけるコンタクトの外面を囲繞する底板には、丸形の圧着端子の丸孔に落ち込んで該圧着端子の抜去防止となるロック部を有する弾性係合片が形成されていることである。
【００１０】
前記コンタクトの挿入方向における中央部にロック解除用の開口部が形成され、コンタクトハウジングの弾性係合片の先端部がコンタクトハウジングに装着された状態で前記開口部の位置に配設されるように形成され、前記開口部から解除手段を差し込んで前記弾性係合片の先端部を押し下げることで、ロック部による圧着端子抜去防止作用が解除されることである。
【００１１】
前記コンタクトの内面に、圧着端子の端子部を接触片と協働して挟持するように押し上げる突起部を設けたことを含むものである。
【発明の効果】
【００１２】
本発明の電気コンタクトによれば、圧着端子の挿入によるインナーコンタクトの接触片のヘタリが防止されて、一定の力で確実な電気的接続がなされる。また、コンタクトハウジングを設けることで、圧着端子のガタツキが抑えられるようになり、コンタクトに適合する圧着端子のサイズを容易に替えることができる。
【００１３】
更に、前記インナーコンタクトの接触片が左右に分かれ、更に、スリットにより内側と外側に分割されているので、丸形端子が挿入された際に、内側の接触片から接触することになり、挿入抵抗が少なく挿入しやすくなる。
【００１４】
左右の接触片の先端部が架橋部で繋がっているので、接触片の安定した挿入抵抗が得られる。
【００１５】
前記コンタクトハウジングにロック部を有する弾性係合片が形成されているので、圧着端子を挿入するだけで、ネジ止めが不要であるとともに確実な電気的接続となる。
【００１６】
前記弾性係合片の先端部がコンタクトの開口部の位置に配置されて、前記開口部を通して解除手段で前記先端部を押し下げできるようにしたので、ワンタッチでロック部の圧着端子抜去防止作用を解除することができる。
【図面の簡単な説明】
【００１７】
【図１−Ａ】本発明に係る電気コンタクト１の使用状態における斜視図である。
【図１−Ｂ】同電気コンタクト１にケーブルの圧着端子を接続した状態の斜視図である。
【図２】同電気コンタクト１の斜め下から視た電気コンタクト１の斜視図（Ａ）、縦断面図（Ｂ）である。
【図３】電気コンタクト１でコンタクトハウジングを除いた状態の斜視図である。
【図４】同電気コンタクト１におけるコンタクトの斜め上下から視た斜視図（Ａ），（Ｂ）である。
【図５】同電気コンタクト１におけるインナーコンタクトの斜視図（Ａ）、他の実施例に係るインナーコンタクトの斜視図（Ｂ）である。
【図６】同電気コンタクト１におけるコンタクトハウジングの斜め上下から視た斜視図（Ａ），（Ｂ）である。
【図７】電気コンタクト１とケーブルの圧着端子との電気的接合状態とロック部の圧着端子抜去防止作用を示す説明図である。
【図８】同電気コンタクト１の使用状態の一部縦断面図（Ａ），（Ｂ）である。
【図９】同電気コンタクト１による、ワンタッチによるロック解除を説明図する説明用断面図である。
【図１０】従来例に係る電気コンタクトの使用状態を示す平面図である。
【発明を実施するための形態】
【００１８】
本発明に係る電気コンタクト１は、図１−Ａ、図１−Ｂ乃至図２に示すように、圧着端子と接触片との挿入力を一定に保ち、ガタツキを抑制するものである。
【実施例１】
【００１９】
本発明に係る電気コンタクト１は、図２乃至図３に示すように、コンタクト４と該コンタクト４に固着されるインナーコンタクト５と、これらを外側から包むようにして内包するコンタクトハウジング６とから構成される。
【００２０】
そして、電気コンタクト１は、ケーブル２に固着されている圧着端子３が、金属製の平板状で所要幅の前記コンタクト４と、該コンタクト４の内面４ａと所要の間隙α（図２（Ｂ）参照）を保持して配設された金属製のインナーコンタクト５の接触片５ａとで挟持されて、電気的接続がなされるものである。
【００２１】
前記各部材について説明する。先ず、前記コンタクト４は、図４に示すように、金属製で、所要幅、厚さ、長さの平板体である。当該コンタクト４で内側となる内面４ａに、圧
着端子３の端子部３ｂを接触片５ａ（図３参照）と協働して挟持するように押し上げる突起部４ｃを設けている。これにより、前記端子部３ｂの接触状態が安定する。
【００２２】
また、挿入方向（長手方向）における中央部にロック解除用の開口部４ｄが形成され、該開口部４ｄを挟んで挿入方向の両側に、ロック手段が出入りするロック用開口部４ｅが形成されている。前記開口部４ｄの側方に、インナーコンタクト５をカシメて固定する為のボス４ｆが設けられている。
【００２３】
前記インナーコンタクト５は、図５（Ａ）（上下逆）に示すように、前記コンタクト４と同様に挿入方向に細長いほぼ同幅の金属板で、中央部の取付孔５ｋを有する固定板に、両側にＬ字型に屈曲させて延設し、その途中で折返し部５ｉで折り曲げて、天井板５ｂと接触片５ａとを形成している。
【００２４】
前記接触片５ａは、前記コンタクト４の内面４ａと平行な天井板５ｂが有り、該天井板５ｂの先端部を基部にして折り返して形成されている。この接触片５ａの先端部５ｊが前記天井板５ｂの基部に近接しており、前記圧着端子３がコンタクト４の内面４ａと接触片５ａとの間に挿入された際に、迫り上げられる前記先端部５ｊが、天井板５ｂの基部側の天井面に当接しないようにしている。
【００２５】
即ち、前記天井板５ｂに当接して、前記接触片５ａがへたるのを防ぎつつ、一定の挿入力を維持するため、前記天井板５ｂに切欠き溝５ｄが、切起こし片５ｅを設けることで、形成されている。
【００２６】
前記インナーコンタクト５の接触片５ａは、圧着端子３の挿入方向に沿って中央部分が空間域となっていて、その左右両側に右接触片５ａおよび左接触片５ａが形成され、且つ、圧着端子３が挿入された際に、内側接触片から接触するように前記左・右接触片５ａ，５ａに前記挿入方向に沿って分割用のスリットが設けられ、内側片５ｆ，外側片５ｇとに分けて形成されている。
【００２７】
更に、前記左・右接触片５ａの先端部５ｊは、挿入方向に直交する方向に設けた架橋部５ｈにより繋がっている。これによって、前記内側片５ｆ，外側片５ｇとが一体になって撓むものである。
【００２８】
なお、図５（Ｂ）に示すように、他の実施例として、前記内側片５ｆが、架橋部５ｈに接続されていないものも提案される。圧着端子３の挿入抵抗を小さくするものである。
【００２９】
前記コンタクトハウジング６は、図６（Ａ），（Ｂ）に示すように、前記コンタクト４と、インナーコンタクト５の天井板５ｂ及び接触片５ａとを、外側から包むように囲繞するとともに、前記天井板５ｂの切欠き溝５ｄの部分を避けて形成されてなる矩形状の筒体である。
【００３０】
前記コンタクトハウジング６におけるコンタクト４の外面４ｂを囲繞する底板６ａには、丸形の圧着端子３の丸孔３ｃに落ち込んで、該圧着端子３の抜去防止となるロック部６ｂを有する弾性係合片６ｃが形成されている。更に、前記底板６ａには、コンタクト４の外面４ｂにおけるボス４ｇに嵌合してカシメにより固定させるための、取付孔６ｇが穿設されている。
【００３１】
前記ロック部６ｂは、前記コンタクト４のロック用開口部４ｅから内側に進入するようになっており、ロック解除用の先端部６ｄが、コンタクト４に組付けた時において、前記コンタクト４の開口部４ｄの位置に対応した長さで配設されている。
【００３２】
また、前記コンタクトハウジング６の天井部６ｅは、図１−Ａと図２（Ａ），（Ｂ）に示すように、インナーコンタクト５の天井板５ｂにほぼ隙間無く当接し、押さえるように位置決めされており、接触片５ａのガタツキを防止している。
【００３３】
更に、図６に示すコンタクトハウジング６の突起部６ｆは、図７に示すように、ケーブル２の圧着端子３の圧着部３ａの大きさに応じて、縦・横の大きさを規制することが出来るものである。これにより、ケーブル２のガタツキが抑えられるものである。
【００３４】
前記コンタクト４、インナーコンタクト５、コンタクトハウジング６の形状等を説明したが、これらを、図３に示すように、先ず、コンタクト４とインナーコンタクト５とを、ボス４ｆをかしめて互いに固着する。そして、図２に示すように、挿入方向の前後からコンタクトハウジング６を、前記先に組立てたコンタクト４に装着して、ボス４ｇをかしめて互いに固着する。
【００３５】
このようにして、本発明に係る電気コンタクト１が組み立てられる。尚、この電気コンタクト１に合成樹脂製のハウジングカバー等が被嵌されるのは勿論である。そして、電気コンタクト１の使用方法は、図１−Ａ乃至図１−Ｂに示すように、ケーブル２の圧着端子３が、例えば、一方の挿入方向に沿ってコンタクトハウジング６の突起部６ｆ側から挿入される。
【００３６】
すると、図７中の右側図に示すように、前記圧着端子３の端子部３ｂが丸形なので、接触片５ａにおける内側片５ｆが先に当接してくるのでこれを押し上げ、次に、外側片５ｇを押し上げるようになる。よって、端子部３ｂを挿入する抵抗力が、最初は少ないので、挿入しやすいものである。
【００３７】
そして、前記端子部３ｂを、図７中の左側図に示すように、差込完了させると、コンタクトハウジング６の弾性係合片６ｃにおけるロック部６ｂが、最初は端子部３ｂで下に押され（図では逆に上に押され）て、その後に圧着端子３の丸孔３ｃが至ると、その丸孔３ｃに落ち込み端子部３ｂをロックして抜去防止する。
【００３８】
図１−Ｂに示す接続完了状態になると、図８（Ａ）に示すように、前記圧着端子３の端子部３ｂの厚さが薄い場合には、接触片５ａがあまり持ち上げられることが無い。よって、この接触片５ａの先端部５ｊは、天井板５ｂに当接することが無い。
【００３９】
また、前記端子部３ｂの厚さが厚いと、図８（Ｂ）に示すように、前記接触片５ａの先端部５ｊが、図中で上に押し上げられ、更に切欠き溝５ｄにまで進入して、上に押し上げられる。即ち、先端部５ｊが、天井板５ｂに当接しないように切欠き溝５ｄへと逃げられるのである。
【００４０】
従って、接触片５ａの先端部５ｊが、前記天井板５ｂに当接して抑制され、押さえつけられることが無い。その結果、接触片５ａを押し上げる端子部３ｂの挿入抵抗が増大することが無く、一定の挿入抵抗に維持できるのである。
【００４１】
次に、図９に示すように、前記接続完了したケーブル２の圧着端子３を抜去するのは、コンタクト４の開口部４ｄから、例えば、棒状の解除手段を差し込んで前記弾性係合片６ｃの半円形状の先端部６ｄを押し下げることで、ロック部６ｂによる圧着端子抜去防止作用が解除される。
【００４２】
その後、図９中矢印の抜去方向に端子部３ｂを引き出し、ケーブル２の電気的接続状態から解除するものである。前記解除手段を開口部４ｄから図中上に引き抜いた後、前記弾性係合片６ｃのロック部６ｂが、前記開口部４ｄに戻って収まるものである。
【産業上の利用可能性】
【００４３】
本発明に係る電気コンタクト１によれば、丸形圧着端子に広く適用することができる。
【符号の説明】
【００４４】
１        電気コンタクト、
２        ケーブル、
３        圧着端子、                ３ａ        圧着部、
３ｂ      端子部、                  ３ｃ        丸孔、
４        コンタクト、              ４ａ        内面、
４ｂ      外面、                    ４ｃ        突起部、
４ｄ      開口部、                  ４ｅ        ロック用開口部、  
４ｆ，４ｇ  ボス、
５        インナーコンタクト、      ５ａ        接触片、
５ｂ      天井板、                  ５ｃ        固着部、
５ｄ      切欠き溝、                ５ｅ        切起こし片、
５ｆ      内側片、                  ５ｇ        外側片、
５ｈ      架橋部、                  ５ｉ        折返し部、
５ｊ      先端部、                  ５ｋ        取付孔、
６        コンタクトハウジング、    ６ａ        底板、
６ｂ      ロック部、                ６ｃ        弾性係合片、
６ｄ      先端部、                  ６ｅ        天井部、
６ｆ      突起部、                  ６ｇ        取付孔、
２０      端子台、              
２１      圧着端子、
２２      ネジ、
２３      ケーブル。
【図１−Ａ】
0006538431.tif 000002
【図１−Ｂ】
0006538431.tif 000003
【図２】
0006538431.tif 000004
【図３】
0006538431.tif 000005
【図４】
0006538431.tif 000006
【図５】
0006538431.tif 000007
【図６】
0006538431.tif 000008
【図７】
0006538431.tif 000009
【図８】
0006538431.tif 000010
【図９】
0006538431.tif 000011
【図１０】
0006538431.tif 000012